(57)【要約】本発明は、光波、電磁誘導および熱的相互作用により、生物体の生理学的プロセスを刺激し、同時に生物体の細胞および分子の両方を、エネルギーがもっと豊かな励起状態にする装置に関する。この装置は、同じ高さおよび任意の形を有する多数のサポートを備える。これらのサポートは、薄い織った材料（２）を有する上面に接続している。薄い織った材料（２）は、上から断熱材（３）により裏打ちされている。サポート（１）は、その下部内に１０Ｈｚ〜１００Ｈｚの周波数を有し、０．００１μＴ〜８０μＴの範囲内の電磁誘導を有する電磁場を放射する電磁波放射体（４）を備える。電磁波放射体（４）は、同時に必要な量の熱も放射する。空気および熱放射が浸透できるようにするために、断熱材（３）は、自由な間隔と任意の形を有する開口部を備える。開口部内には、３８０ｎｍ〜６３０ｎｍの範囲の長さの波を放射する光波放射体（５）が設置される。
2006525103.tif 000002
【特許請求の範囲】
【請求項１】
熱放射の浸透を可能にする２つのファブリック間に、底部のところに取り付けられているコイルを有する電磁波および熱波の放射を可能にする何もないエリアを底部と上面の間に含む直角プリズムの形をしている生物体の生理学的プロセスを刺激するための装置であって、同じ高さおよび任意の形をしていて、前記装置の上面に永久に接続している多数のサポート（１）を備え、前記上面が上から断熱材（３）で裏打ちされている薄い織った材料（２）を含む２つの平行なまたはほぼ平行な面により形成されているその任意の空間の形を特徴とする、前記断熱材（３）が任意の間隔と任意の形の開口部を有し、該開口部内に３８０ｎｍ〜６３０ｎｍの範囲内の長さを有し、０．５ＭＨ〜１００ＭＨｚの周波数を有し、最高１００ｍＷの電力を有する光波を放射する光波放射体（５）が設置され、一方、前記サポート（１）が、その下部内に、薄い織った材料の少し上の前記装置の前記上面のレベルのところに、または薄い織った材料のレベルのところに、本発明による前記装置の前記上面の各点およびすべての点のところで、特定の量の熱を同時に放射する２０Ｈｚ〜８０Ｈｚの周波数を有する０．００１μＴ〜８０μＴの範囲内の電磁誘導の任意の値を入手することができるように選択した電磁波放射体（４）が設置され、前記装置が６〜２４Ｖの範囲内の生物体に安全な電圧の交流電流により電力の供給を受け、放射した光波の周波数の発生器を含む前記装置の前記制御システムに接続している装置。
【請求項２】
前記電磁波放射体（４）が、０．０１μＴ〜５．００μＴの範囲内の電磁誘導と４０Ｈｚ〜６０Ｈｚの範囲内の周波数を有する波を放射することを特徴とする、請求項１に記載の装置。
【請求項３】
前記薄い織った材料（２）が、ファイバ・ガラスまたはバクテリアの成長を阻止する任意の他の材料からできているメッシュであることを特徴とする、請求項１に記載の装置。
【請求項４】
前記断熱材（３）が、弾性を有し、抗カビおよび抗菌特性を有することを特徴とする、請求項１に記載の装置。
【請求項５】
前記断熱材（３）の前記自由な形の開口部が、細長いスリットまたは異なるまたは同じ直径を有する円形および／または楕円体の形をしているか、または蜂巣状正多角形の周囲にスリットを形成することを特徴とする、請求項１に記載の装置。
【請求項６】
光波放射体（５）が、０．８ＭＨｚ〜１．２ＭＨｚの範囲内の周波数の光波を放射し、自由に選択した量で直列またはクワッド内に位置することを特徴とする、請求項１および５に記載の装置。
【請求項７】
光波放射体（５）の全数が１〜８であることを特徴とする、請求項１および６に記載の装置。
【請求項８】
前記光波放射体が、前記装置の全長の２／３、または前記装置の上開放面の中央部に位置することを特徴とする、請求項１、６および７に記載の装置。
【請求項９】
前記光波放射体（５）が、２０ｍＷ〜５０ｍＷの電力のダイオードであることを特徴とする、請求項１および６に記載の装置。
【請求項１０】
人体の各部に取り付けられるか、または設置するために使用する他の対象物のライニングとしてベルト、パップまたは他の形をしていることを特徴とする、請求項１に記載の装置。
【請求項１１】
マットレスからなり、その底面が側壁に永久に接続していて、前記側壁の底部および内部が漏洩を起こさない非浸透性材料で裏打ちされていて、前記マットレスの内部または前記底部のすぐ上のエリアが、電磁波放射体（４）および熱放射体を備え、前記装置の上面が、自由な間隔と任意の形の開口部を有する断熱材（３）で上から裏打ちされている薄い織った材料（２）であり、前記開口部内に光波放射体（５）が位置していて、前記装置の側壁が、手動または自動的に開閉する通風孔（６）を有し、前記装置内の何もないエリアが、前記底部と薄い織った材料の間で、室内装飾材料スプリングの周囲に何もないエリアが残っているスプリングをベースとする室内装飾材料構造を備える、請求項１に記載の装置。
【請求項１２】
前記電磁波放射体（４）が、コイルおよび／またはコイルのグループであることを特徴とする、請求項１および１１に記載の装置。
【請求項１３】
前記コイルおよび／またはコイルのグループ（４）が、熱放射を通すことができるようにする２つのファブリックまたは材料（８）の下／または間に位置することを特徴とする、請求項１１および１２に記載の装置。
【発明の詳細な説明】
【技術分野】
【０００１】
本発明は、光波、電磁波および熱的相互作用により生物体の生理学的プロセスを刺激し、同時に生物体の細胞および分子の両方をエネルギーがもっと豊かな励起状態にする装置に関する。
【背景技術】
【０００２】
種々のタイプの可変電磁場を放射する装置、熱波を放射する装置、および光波を放射する装置は周知である。
【０００３】
米国特許第４，６８５，４６２号に、磁場を使用して低体温症を治療するための装置が記載されている。当該装置は、コンデンサおよび誘導コイルを含む自動周波数チューニング・システムを通してＲＦ発生器に結合している２つの螺旋状誘導コイルを備える。螺旋コイルは、シールドの素子を構成している非導通シリンダ内に位置する。一方のコイルは、共振周波数にチューニングしている周波数でＲＦ発生器から信号を受信し、他方のコイルは相互誘導によりＲＦ発生器から信号を受信する。
【０００４】
米国特許第５，３４４，３８４号に、必要な場合に１０〜９０Ｈｚの範囲内のフィールド周波数により、コイルから周期的に発生する磁場により刺激される磁気療法のための装置が記載されている。この装置は人体の患部に対して刺激装置として機能する。この装置は、相互に永久に接続している多数の柔軟な素子を備える。これら各素子は、柔軟な素子ほぼ全体を満たす高電力コイルからできている内部磁場発生器を有する。これらの素子は、人体の患部上に置かれるマット、ベルトおよびパップ（ｃｏｍｐｒｅｓｓ）の形をしている装置を形成するように永久に接続することができる。
【０００５】
米国特許第５，４５３，０７４号に、人間用のものであってその全体的な物理的な状態を改善する電磁療法用の装置が記載されている。この装置は、終端部がヘッドレストになっていて、ベースより短くベースに沿って移動する可動部分で覆われている平らなベースからできている。この装置は、短時間人体および頭部の各部分に対して、患者に安全な電磁場を発生することができる。この電磁場は、装置のシリンダ内に位置する電磁発生器が発生する。
【０００６】
ドイツ実用新案第２９９  １９  ９５０号に、集中した電磁場により人体の各部を治療するための治療ランプが記載されている。このランプは、人体の特定の小さな部分と極度に制限された相互作用を確実に行う電磁場を放射する狭いハウジング内に位置する螺旋状の集中システムを有する。
【０００７】
波長が変化し、３０〜３００Ｗの比較的高い放射電力で光波を放射する種々のタイプの装置は周知である。
【０００８】
ポーランド特許第１７７４２６号に、回転の放物面の形をしているリフレクタの焦点内に位置する３０〜３００Ｗの範囲内の電力定格の点光源を含む偏光を使用する生物刺激用の治療ランプが記載されている。このランプは、光フィルタ・プレート、および１１４度の角度で相互に接続している同じ円形セクションを含む２つのチューブ状の部分からなる一体型プラスチック・ハウジングを含む。
【０００９】
ポーランド特許第１８１７１６号に、ランプを備えるハウジング、ランプを囲んでいるリフレクタ、光ビームの経路上に位置する一組のフィルタ、上記一組のフィルタの背後に位置する光の出口、装置により患者に供給される放射エネルギーを正確に測定するための線量測定デバイス、および放射距離を測定し、必要な放射距離を設定する場合に、このような測定値を使用するための電子レンジ・ファインダを有する光力学的放射のための装置が記載されている。
【００１０】
米国特許第６４５０９４１号に、脈動電磁放射線により身体細胞を刺激する毛髪ケアおよび乾燥装置が記載されている。この装置は２００Ｈｚ〜２００００Ｈｚの範囲内の周波数を有し、１５〜２５Ｖの電流パルス振幅の電流パルスにより電力の供給を受ける。パルスの持続時間は２〜２００マイクロ秒である。同時に、半導体ダイオードまたはレーザ・ダイオードが発生する３つの波長、すなわち、６００ｎｍ、９００ｎｍおよび１２００ｎｍの赤外線放射線、および４００ｎｍの波長の青い光が毛髪を照射する。脈動電磁および可視放射線の供給をスタートすると、毛髪を乾かす３７℃の温度の熱い空気を供給するブローワが同時にスタートする。この装置は、数分から数十分の比較的短い時間だけ、頭部の毛髪および皮膚に働きかけることができる。この時間は、電気ブローワが供給する熱風により毛髪が完全に乾くまでの時間である。
【００１１】
生物体に適用される上記装置および方法すべての欠点は、電磁場放射および磁場放射を、生物体上で波長が変化する光波の放射および／または熱放射に自由に結びつけることができる装置が存在しないことである。安全上の理由から、従来の装置は、数分から数十分の範囲内の比較的短い時間の間しか使用することができない。このように短時間しか使用できないのは、磁気誘導放射の値が過度に高いためであるか、またはパルスに基づいて動作する電磁場の値が高いためであり、放射線で照射された人体の一部を過度に加熱する光波放射ランプの電力が大きいからである。長時間使用すると、２００〜２００００Ｈｚの電流周波数を使用する周知の装置は、生物体内で行われる多くの反応に悪影響を及ぼす。
【００１２】
同時に全生物体上に作用する最適な温度と一緒に、非常に低い電磁場値および無視することができる光波放射体電力をその上に照射するプロセスの場合には、生物体がうまく適合することができることは周知である。このようなプロセスは、長期にわたって生物体に影響を与え、一方、ある場合には、連続して長期間影響を与える。生物体の場合、睡眠時または休息時が、このようなタイプの相互作用に最も適している。
【発明の開示】
【発明が解決しようとする課題】
【００１３】
本発明の目的は、生きている間確実に安全な刺激を与え、同時に低い値の電磁誘導放射で、生物体に電磁場による影響を与えることができる装置を構成することである。この場合、生物体上に、限定されない時間の間同時に光波を放射するために使用するランプの無視できる電力および低い強制的でない熱放射が行われる。このタイプの装置は、また、免疫システムがすでに重い負担を負っていて、既存の装置の瞬間的に強烈な影響に耐えることができない、症状が進んだ病気の場合に生物体に対してよい影響を与える。
【課題を解決するための手段】
【００１４】
本発明によれば、生物体の生理学的プロセスを刺激する装置は、２つの平行またはほぼ平行な面が形成する任意の空間的形状を有する。これらの面の間には、側壁により制限される適当に選択した高さの空間が存在する。この装置は、高さが同じで任意の形をしている多数のサポートからなる。これらのサポートは装置の上面と接続していて、この上面は、薄い織った材料であるかまたは、好適には、バクテリアの成長を阻止するガラス繊維または任意の他の材料のメッシュであることが好ましい。本発明によれば、薄い織った材料の上面は、好適には、弾性を有し、殺カビおよび殺菌特性を有する断熱材で裏打ちされている。基礎のその面のすぐ上のサポートの下部には、好適には、１０Ｈｚ〜１００Ｈｚの範囲内の周波数で、また０．００１μＴ〜８０μＴの範囲内の電磁誘導で電磁場を放射するコイルおよび／またはコイルのグループであることが好ましい電磁波の放射体が設置される。好適には、電磁場の周波数は、５０〜６０Ｈｚの範囲内であることが好ましく、一方、電磁誘導は０．０１μＴ〜５．００μＴの範囲内であることが好ましい。電磁波放射体も、必要な量の熱を放射する。電磁波放射体は、本発明による装置の上面の各およびすべて点のところの、薄い織った材料の少し上の装置の上面のレベルのところで、または薄い織った材料のレベルのところで、０．００１μＴ〜８０μＴの範囲内の任意の値の電磁誘導を入手することができるような方法で選択される。空気および熱放射が通過することができるようにするために、断熱材は、空気が通過することができる、好きな場所に、好きな大きさの開口部を有する。これらの開口部は細長いスリットであってもよい。これらの開口部は、円形でも、楕円体でもよく、直径は異なっていても同じでもよく、または断熱材でできている蜂巣状正多角形の周囲にスリットを形成することができる。断熱材のスリットまたは開口部は光波放射体を含んでいて、この放射体は、３８０ｎｍ〜６３０ｎｍの波長を有し、０．５ＭＨｚ〜１００ＭＨｚの発生周波数を有する光波を放射する。放射された光波は、０．８ＭＨｚ〜１．２ＭＨｚの範囲内の発生周波数を有すると有利である。断熱材の開口部内の光波放射体は、クワッドまたは直列に設置されていて、光波の波長と同じ光、または３８０ｎｍ〜６３０ｎｍの範囲内で変化する波長を有する光を放射する放射体を備える。断熱材のスリットまたは開口部には、要件により１つから多数の光波の放射体が設置される。放射体の数は全部で１〜８であることが好ましい。光波放射体は、装置の長さの２／３またはその中央部に位置することが重要である。光波放射体は、最大１００ｍＷの低電力ユニットであり、２０ｍＷ〜５０ｍＷの電力の光ダイオードを使用すると有利である。電磁波放射体は、生物体に対して安全な電圧、すなわち６〜２４Ｖの範囲内の交流電流により電力の供給を受ける。電磁波放射体が放射する電磁場の強度は、選択した電磁波放射体を流れる電流の強度を変えることにより規制される。本発明によれば、この装置は、上面の近くの温度を制御し、測定し、規制するためのセンサおよびデバイスを備える。この装置は、また装置の上面の各点およびすべての点のところで、放射した電磁誘導の値を連続的に測定し、規制するためのセンサおよびデバイスを備える。電磁波誘導の放射した値および放射した熱の値を測定し、規制するためのセンサおよび装置の両方は、装置の制御システムに接続している。装置の制御システムは、放射した光波の周波数の発生器を備えていて、これによりその周波数を現在の動作要件に円滑に適合させることができる。装置の制御システムがプロセッサを備えているので、パーソナル・コンピュータにより電磁波誘導放射の値、熱放射の値、および光放射の値を連続的に監視することができる。オペレータの負担を軽減するために、本発明の装置は、その長い方の辺に沿って相互に永久に接続している２つ以上の素子に分割することができ、組立てたり分解することができる。
【００１５】
本発明によれば、この装置を変形したものは、生物体の個々の部分に固定されている、通常、ベルト、パップまたはその他の形をしている種々の形状および大きさの素子を備えることができる。これらは、適当な形の薄い織った材料上に設置される種々の形の開口部を有する断熱材からなる。光波放射体はこれらの開口部に設置される。断熱材で裏打ちされた表面は、その上に適当な形の素子が位置する身体の一部上に直接貼付される。適当な形の薄い織った材料の対向面は、制御された状態で空気が自然に通過することができる材料により外部が囲まれている適当に選択した厚さの何もない空間を有することができる。その内側には、電磁場および必要な量の熱を放射する電磁波放射体が固定されている。電磁波放射体および光波放射体の両方を有する全装置は、バッテリーまたは二次電池から電力の供給を受ける。バッテリーまたは二次電池は、また、装置により媒体の放射を測定し、制御し、規制するためのシステムに電力を供給する。この変形例により、身体の動きを束縛されないで、生物体の身体の選択した部分の電磁波放射、光放射および熱放射により、同時に動作することができる。
【００１６】
本発明によれば、この装置のもう１つの有利な変形例は、自動車のシートを含む上に置いたり、設置するために使用する種々の目的のために選択した寸法を有することである。
【００１７】
本発明によれば、本発明の別の変形例はマットレスである。マットレスの下面は側壁に永久に接続している。マットレスの底部およびその側壁は、漏洩を起こさない非浸透性材料で裏打ちされている。マットレスの底部の内部または底部のすぐ上のエリアは、必要な量の熱も放射する０．００１μＴ〜８０μＴの範囲内の電磁波誘導を有する電磁波の放射体を備える。電磁波放射体を、熱放射が通過することができる２つのファブリックまたは材料の下／または間に設置すると有利である。装置の上部層は薄い織った材料である。本発明によれば、装置の上部層を含む薄い織った材料は、断熱材により裏打ちされている。空気および熱放射が通過することができるようにするために、断熱材は、種々の間隔を有し、そうしたい場合には、任意の形状を有する空気が通過することができる開口部を有し、これら開口部には光波放射体を設置することができる。装置の側壁は、装置の上面の方向に電磁波放射体により放射される熱の値を低減または増大するために、必要に応じて手動または自動的に開閉される通風孔を備えることができる。ユーザの使い勝手をよくするための装置内の何もないエリアは、底部と薄い織った材料の間に装置内の媒体およびその放射の上面方向への通風および循環を行うことができるようにするために、室内装飾材料スプリングの周囲に何もない空間を含む、スプリングをベースとする室内装飾材料構造を備えることができる。装置の底面および側面の外面は、通常マットレス用の容易に取り外すことができる室内装飾材料を含む。この室内装飾材料は、上に置かれた断熱材上に側面の上の縁部が一部立ち上がっていて、断熱材内のスリットまたは開口部をカバーしないようになっている。
【００１８】
本発明により提示した装置の利点のうちの１つは、低い値の電磁場の放射により、低電力光波の放射により、およびまた自然の熱放射により、同時に生物体上に働きかけることができることである。放射した媒体の値が低いということは、生物体が時間の制限無しでその相互作用フィールド内に自由にそのまま位置することができることを意味する。本発明により提示した装置を使用する生物体は、装置を流れる電流の任意の有害な高周波に曝されることもないし、皮膚または内部細胞が過熱されることもない。この装置を使用すれば、生物体の温度を安定させることができ、過熱または発汗を防止することができる。この装置のもう１つの利点は、睡眠状態を確実に最適にすることができ、それにより短い睡眠時間中でも生物体の再生を確実に改善できることである。この装置をシートに適合させた場合、特に自動車のシートに適合させた場合には、運転者の集中度を高めるという利点がある。
【００１９】
本発明によれば、生物体の生理学的プロセスを刺激するための装置を製造例に基づいて説明してきた。
【実施例】
【００２０】
本発明によれば、平らな直角プリズムの形をしている生物体の生理学的プロセスを刺激するための装置は、電磁波放射体が取り付けられるサポート１からなる。サポート１は、薄い織った材料２の底部に永久に接続している。薄い織った材料２の上面は、光波放射体５が設置される細長い開口部を有する断熱材で裏打ちされている。バンドの形をしているこの装置の変形例は、フィーダ・ケーブルおよび制御デバイス９を有する。アームバンドおよびヘッドバンドの形をしているこの装置の変形例は、ケーブル１０によりフィーダ・ケーブルおよび制御デバイス９に接続している。マットレスの形をしているこの装置の変形例は、断熱材３の開口部内に取り付けられている光波放射体５を有する。開口部６は、マットレスの形をしている装置の側壁内、および断熱材の短い縁部のうちの１つのところに位置する。電磁波放射体４は、２つのファブリック８間に設置される。
【図面の簡単な説明】
【００２１】
【図１】細長い開口部を含む本発明による装置を示す。
【図２】装置のサポートの例示としての間隔を示す。
【図３】ストリップの形をしている装置の例示としての形状を示す。
【図４】脚用パップの形をしている装置の例示としての形状を示す。
【図５】腕バンドの形をしている装置の例示としての形状を示す。
【図６】マットレスの形をしている装置を示す。
【図７】マットレスの形をしている装置（不等角投影図）を示す。
【図１】
2006525103.tif 000003
【図２】
2006525103.tif 000004
【図３】
2006525103.tif 000005
【図４】
2006525103.tif 000006
【図５】
2006525103.tif 000007
【図６】
2006525103.tif 000008
【図７】
2006525103.tif 000009
【国際調査報告】
2006525103.tif 000010
2006525103.tif 000011